(57)【要約】【課題】画像の特徴表示位置を正確に捕獲し、特徴表示倖置の計算時間を短縮し、データ保存の空間を縮小して好ましい動画の画像効果を得る画像捕獲方法、及びその装置を提供する。【解決手段】画像を捕獲するレンズモジュール２６と、設定した特長表示位置を表示する特徴表示モジュール２５と、捕獲する画像及び、設定した特徴表示位置をプレビューし、画像を設定した特長表示位置に重ね合わせるためのファインダーモジュール２７と、特徴表示位置にかかる座標値、及び画像を保存するメモリモジュール２４とによって画像捕獲処理装置を構成し、少なくとも一以上の特徴表示位置を設定し、設定された特徴表示位置と捕獲しようとする画像の特徴とを重ね合わせて該画像を捕獲し、捕獲した画像と、設定された特徴表示位置にかかる座標値を保存する。【選択図】図２
2004088719.tif 000002
【特許請求の範囲】
【請求項１】
作成しようとする画像の動画変形認識位置である特徴表示位置を少なくとも一以上設定するステップと、
設定した該特徴表示と、捕獲しようとする画像の特徴を重ね合わせて該画像を捕獲するステップと、
捕獲し保存した該画像と、設定した該特徴表示位置の座標値に基づく画像の動画作成に供するために該画像を保存するステップとを含んでなることを特徴とする画像捕獲方法。
【請求項２】
前記画像捕獲方法は、少なくとも一以上の異なるタイプの特徴表示位置を設定して保存し、かつ捕獲しようとする画像タイプに基づき、適宜なタイプの画像特徴表示位置を選択するステップを更に含むことを特徴とする請求項１記載の画像捕獲方法。
【請求項３】
前記特徴表示位置は、予め設けられた設定値であり、該設定値が同一タイプの画像特徴表示位置の平均値であり、かつ好ましい経験値であることを特徴とする請求項１記載の画像捕獲方法。
【請求項４】
前記画像捕獲方法は、設定した特徴表示位置に微調整を行い、捕獲しようとする画像の特徴と重ね合わせ、該画像の特徴表示位置の座標値を捕獲して記憶する微調整のステップを更に含むことを特徴とする請求項１記載の画像捕獲方法。
【請求項５】
前記画像捕獲方法は、保存された画像と、該画像の特徴表示位置の座標値に基づき、動画処理が行われて該画像に動画効果を達成させることを特徴とする請求項１記載の画像捕獲方法。
【請求項６】
前記画像の動画は、再生される音声と併せ表示されることを特徴とする請求項５記載の画像捕獲方法。
【請求項７】
前記動画処理が動画処理プログラムによって処理されることを特徴とする請求項５記載の画像捕獲方法。
【請求項８】
前記動画処理プログラムがマイクロコンピュータを具える装置にセットアップされ、かつ該画像、及び画像の特徴表示位置の該座標値が該マイクロコンピュータ装置に送信され、該動画処理プログラムによって処理されて画像の動画効果が得られることを特徴とする請求項７記載の画像捕獲方法。
【請求項９】
画像を捕獲するレンズモジュールと、
設定した特徴表示位置を表示する特徴表示モジュールと、
捕獲しようとする画像をプレビューし、かつ設定した特徴表示位置を表示して、表示された画像と設定された特徴表示位置とを重ね合わせるファインダーモジュールと、
特徴表示位置の座標値と、画像とを保存するメモリモジュールとを含んでなることを特徴とする画像捕獲処理装置。
【請求項１０】
前記画像捕獲処理装置は、設定した特徴表示位置を調整し、設定した該特徴表示を捕獲しようとする画像の特徴に重ね合わせて画像を捕獲する微調整モジュールを更に含むことを特徴とする請求項９に記載の画像捕獲処理装置。
【請求項１１】
前記画像捕獲処理装置は、画像の特徴表示位置にかかる座標値を捕獲する処理モジュールを更に含むことを特徴とする請求項９記載の画像捕獲処理装置。
【請求項１２】
前記画像捕獲処理装置は、捕獲し、保存した画像と特徴表示位置の座標値に基づき、画像の動画処理を行う動画処理モジュールを更に含むことを特徴とする請求項９記載の画像捕獲処理装置。
【請求項１３】
前記画像捕獲処理装置は、予め設定された特徴表示位置の座標値を入力する入力モジュールを更に含むことを特徴とする請求項９記載の画像捕獲処理装置。
【請求項１４】
前記画像捕獲処理装置は、画像と、特徴表示位置の座標値をそれぞれ出力するか、もしくはこれらを組み合わせて出力する出力モジュールを更に含むことを特徴とする請求項９記載の画像捕獲処理装置。
【請求項１５】
前記メモリモジュールには、予め設定した少なくとも一以上の異なるタイプの画像の特徴表示位置にかかる座標値を保存することを特徴とする請求項９記載の画像捕獲処理装置。
【請求項１６】
前記画像捕獲処理装置は、静止画を撮影する機能を有する装置か、もしくは録画機能を有する装置に応用されることを特徴とする請求項９記載の画像捕獲処理装置。
【請求項１７】
画像を捕獲するレンズモジュールと、
捕獲しようとする画像をプレビューするファインダーモジュールと、
設定する特徴表示位置が表示され、該ファインダーモジュール上に重ね合わせて用いる特徴表示フィルムと、
特徴表示位置の座標値と画像とを保存するメモリモジュールとを含んでなることを特徴とする画像捕獲処理装置。
【請求項１８】
前記画像捕獲処理装置は、捕獲した画像と該特徴表示位置の座標値に基づき、画像の動画処理を行う動画処理モジュールを更に含むことを特徴とする請求項１７に記載の画像捕獲処理装置。
【請求項１９】
前記画像捕獲処理装置は、特徴表示位置の座標値と画像を出力する出力モジュールを更に含むことを特徴とする請求項１７に記載の画像捕獲処理装置。
【請求項２０】
前記メモリモジュールは、予め設定した少なくとも一以上の異なるタイプの画像特徴表示位置にかかる座標値を保存することを特徴とする請求項１７に記載の画像捕獲処理装置。
【請求項２１】
前記画像捕獲処理装置は、静止画を撮彰する機能を有する装置か、もしくは録画機能を有する装置に応用されることを特徴とする請求項１７に記載の画像捕獲処理装置。
【発明の詳細な説明】
【０００１】
【発明の属する技術分野】
この発明は、画像捕獲方法及びその装置に関し、特に捕獲するために設定した画像の特徴表示位置に基づき、画像を捕獲し、該画像及び特徴表示位置の座標値を利用して画像を動画とする方法及びその装置である。
【０００２】
【従来の技術】
昨今のマルチメディア技術は、急速に発展している。マルチメディア技術によって描かれる世界において、動画は欠くことのできない存在となっている。動画を利用することによって、人物や動物などの動作、雰囲気、表情、もしくはその他事物の動作などを任意に表現することができる。また、動画牽利用してプレゼンテーションを行う場合、動画によって表現される事物の動作をよりリアルにし、これに適宜な音響効果を組み合わせることは、動画作成の重要な課題である。特に、人物、もしくは動物の表情を表現する動画の画像構造は、作成が容易でない。
【０００３】
動画の画像を製作するにあたり、予め画像の特徴表示位置を設定し、これを探し出しておくことが必要であり、更に変形ソフトプログラムを利用し、特徴表示位置において変形画像を生成し、動画の画像効果を得る。目下動画を作成する時、一般に人、事、物の画像データを捕獲してから、更にアルゴリズム或いは関連するソフトプログラムで画像の特徴表示位置を探し出す。但し、探し出した特徴表示位が間違っている場合も多く、また、大量で複雑な計算を必要とするためプログラム計算時間が長くなる。さらに、一般の特徴表示位置を探し出すプログラムは、特徴を比較するための余剰のデータベースを必要とするため、計算に時間が掛かるのみならず、データ保存の空間を大量に占めることになる。よって、特徴表示位置を探し出す場合の難度の問題を改善し、計算時間を短縮するとともに、データの保存空間を節減できる画像捕獲方法、及びその装置を提供することが業界で望まれている。
【０００４】
【発明が解決しようとする課題】
この発明は、画像の特徴表示位置を探し出す精度を高め、特徴表示位置の計算時間を短縮し、かつデータ保存の空間を縮小するとともに、好ましい動画の画像効果が得られる画像捕獲方法、及びその装置を提供することを課題とする。
【０００５】
【課題を解決するための手段】
そこで、本発明者は従来の技術に見られる欠点に鑑み、斯業に多年従事した経験に基づき鋭意研究を重ねた結果、画像を捕獲するレンズモジュールと、設定した特徴表示位置を表示する特徴表示モジュールと、捕獲する画像及び、設定した特徴表示位置をプレビューし、画像を設定した特徴表示位置に重ね合わせるためのファインダーモジュールと、特徴表示位置にかかる座標値、及び画像を保存するメモリモジュールとによってなる画像捕獲処理装置の構造と、以下に記載する画像捕獲方法とによって課題を解決できる点に着眼し、かかる知見に基づき本発明を完成させた。
【０００６】
即ち、上述の構成による画像捕獲処理装置を用い、少なくとも一以上の特徴表示位置を設定し、設定された特徴表示位置と摘獲しようとする画像の特徴とを重ね合わせて該画像を捕獲し、捕獲した画像と、設定された特徴表示位置にかかる座標値を保存する画像捕獲方法によって、この発明の課題を解決することができる。
【０００７】
以下、この発明について具体的に説明する。
請求項１に記載する画像捕獲方法は、作成しようとする画像の動画変形認識位置である特徴表示位置を少なくとも一以上設定するステップと、
設定した該特徴表示と、捕獲しようとする画像の特徴を重ね合わせて該画像を捕獲するステップと、
捕獲し保存した該画像と、設定した該特徴表示位置の座標値に基づく画像の動画作成に供するために該画像を保存するステップとを含んでなる。
【０００８】
講求項２に記載する画像捕獲方法は、請求項１における画像捕獲方法が、少なくとも一以上の異なるタイプの特徴表示位置を設定して保存し、かつ捕獲しようとする画像タイプに基づき、適宜なタイプの画像特徴表示位置を選択するステップを更に含む。
【０００９】
請求項３記載する画像捕獲方法は、請求項１における特徴表示位置が、予め設けられた設定値であり、該設定値が同一タイプの画像特徴表示位置の平均値であり、かつ好ましい経験値である。
【００１０】
講求項４に記載する画像捕獲方法は、請求項１における画像捕獲方法が、設定した特徴表示位置に微調整を行い、捕獲しようとする画像の特徴と重ね合わせ、該画像の特徴表示位置の座標値を摘獲して記慮する徴調整のステップを更に含む。
【００１１】
請求項５に記載する画像捕獲方法は、請求項１における画像捕獲方法が保存された画像と、該画像の特徴表示位置の座標値に基づき、動画処理が行われて該画像に動画効果を達成させる。
【００１２】
請求項６に記載する画像捕獲方法は、請求項５における画像の動画が再生される音声と併せ表示される。
【００１３】
請求項７に記載する画像捕獲方法は、請求項５における動画処理が動画処理プログラムによって処理される。
【００１４】
請求項８に記載の画像捕獲方法は、請求項７における動画処理プログラムがマイクロコンピュータを具える装置にセットアップされ、かつ該画像、及び画像の特徴表示位置の該座標値が該マイクロコンピュータ装置に送信され、該動画処理プログラムによって処理されて画像の動画効果が得られる。
【００１５】
請求項９に記載の画像捕獲方法は、画像を捕獲するレンズモジュールと、
設定した特徴表示位置を表示する特徴表示モジュールと、
捕獲しようとする画像をプレビューし、かつ設定した特徴表示位置を表示して、表示された画像と設定された特徴表示位置とを重ね合わせるファインダーモジュールと、
特徴表示位置の座標値と、画像とを保存するメモリモジュールとを含んでなる。
【００１６】
請求項１０に記載する画像捕獲処理装置は、請求項９における画像捕獲処理装置が設定した特徴表示位置を調整し、設定した該特徴表示を捕獲しようとする画像の特徴に重ね合わせて画像を捕獲する微調整モジュールを更に含む。
【００１７】
請求項１１に記載する画像捕獲処理装置は、請求項９における画像捕獲処理装置が画像の特徴表示位置にかかる座標値を捕獲する処理モジュールを更に含む。
【００１８】
請求項１２に記載する画像捕獲処理装置は、請求項９における画像捕獲処理装置は、捕獲し、保存した画像と特徴表示位置の座標値に基づき、画像の動画処理を行う動画処理モジュールを更に含む。
【００１９】
請求項１３に記載する画像捕獲処理装置は、請求項９における画像捕獲処理装置が予め設定された特徴表示位置の座標値を入力する入力モジュールを更に含む。
【００２０】
請求項１４に記載する画像捕獲処理装置は、請求項９における画像捕獲処理装置が画像と、特徴表示位置の座標値をそれぞれ出力するか、もしくはこれらを組み合わせて出力する出力モジュールを更に含む。
【００２１】
請求項１５に記載する画像捕獲処理装置は、請求項９におけるメモリモジュールに予め設定した少なくとも一以上の異なるタイプの画像の特徴表示位置にかかる座標値を保存する。
【００２２】
請求項１６に記載する画像捕獲処理装置は、請求項９における画像摘獲処理装置は、静止画を撮影する機能を有する装置か、もしくは録画機能を有する装置に応用される。
【００２３】
請求項１７に記載する画像捕獲処理装置は、画像を捕獲するレンズモジュールと、
捕獲しようとする画像をプレビューするファインダーモジュールと、
設定する特徴表示位置が表示され、該ファインダーモジュール上に重ね合わせて用いる特徴表示フィルムと、
特徴表示位置の座標値と画像とを保存するメモリモジュールとを含んでなる。
【００２４】
請求項１８に記載する画像捕獲処理装置は、請求項１７におけるが画像捕獲処理装置が捕獲した画像と該特徴表示位置の座標値に基づき、画像の動画処理を行う動画処理モジュールを更に含む。
【００２５】
請求項１９に記載する画像捕獲処理装置は、請求項１７における画像摘獲処理装置が特徴表示位置の座標値と画像を出力する出力モジュールを更に含む。
【００２６】
請求項２０に記載する画像捕獲処理装置は、請求項１７におけるメモリモジュールが、予め設定した少なくとも一以上の異なるタイプの画像特徴表示位置にかかる座標値を保存する。
【００２７】
請求項２１に記載する画像捕獲処理装置は、請求項１７における画像捕獲処理装置が静止画を撮影する機能を有する装置か、もしくは録画機能を有する装置に応用される。
【００２８】
【発明の実施の形態】
この発明は、捕獲するために設定した画像の特徴表示位置に基づいて画像を捕獲し、該画像及び特徴表示位置の座標値を利用して画像を動画とする方法及びその装置を提供するものであって、画像を捕獲するレンズモジュールと、設定した特徴表示位置を表示する特徴表示モジュールと、捕獲する画像及び、設定した特徴表示位置をプレビューし、画像を設定した特徴表示位置に重ね合わせるためのファインダーモジュールと、特徴表示位置にかかる座標値、及び画像を保存するメモリモジュールとによって画像捕獲処理装置を構成する。
かかる画像捕獲処理装置と、その方法の特徴を説明するために具体的な実施例を挙げ、図示を参照にして以下に詳述する。
【００２９】
【第１の実施例】
図１に、この発明による画像捕獲方法のフローチャートを開示する。図面によれば、この発明による方法は、（１０）のステップにおいて特徴表示位置を設定し、（１２）のステップにおいて、予め設定した特徴表示と捕獲しようとする画像の特徴を重ね合わせ、（１４）のステップにおいて、特徴を重ね合わせた両特徴から画像を捕獲し、（１６）のステップにおいて捕獲した画像を保存する。
【００３０】
設定した特徴表示位置を設定する前記（１０）のステップにおいて、該特徴表示位置は捕獲しようとする画像に基づいて、それぞれ異なる設定を行い、予め複数の異なるタイプの画像の特徴表示位置を設定し、更に捕獲しようとする画像のタイプに基づき、適宜なタイプの特徴表示位置を選択する。また、予め設定した特徴表示位置は、同一タイプの画像の特徴表示位置にかかる平均値か、もしくは比較的好ましい経験値として設定し、一般的な使用状況に適応させる。
【００３１】
画像を重ね合わせる前記（１２）のステップにおいては、設定した特徴表示位置を微調整することができる。かかる微調整によって特徴表示位置と、捕獲しようとする画像の特徴とをより容易に、かつ正確に重ね合わせることができる。
【００３２】
画像を捕獲する前記（１４）のステップにおいては、画像及び特徴表示位置を記録するための正確な座標値を捕獲する。
【００３３】
捕獲した画像を保存する前記（１６）のステップにおいては、捕獲した画像と、画像の特徴表示位置にかかる座標値を保存する。
【００３４】
上述の方法は画像を保存する（１６）のステップにおいて保存した画像と、特徴表示位置にかかる座標値を例えば、ノートブック型コンピュータ、携帯電話機、パーソナルディジタル・アシスト（ＰＤＡ）などのモバイルタイプで、かつ動画処理プログラムを具えるマイクロコンピュータ装置に伝送し、これら装置の動画処理プログラムによって処理することにより画像の動画効果を得るとともに、これに併せて音響を再生する。
【００３５】
図２はこの発明の好ましい実施例による画像捕獲処理装置の構造を表わすブロック図である。図面によればこの発明による画像捕獲処理装置は、メモリモジュール（２４）を具え、予め少なくとも一以上のタイプの特徴表示位置を設定して該メモリモジュール（２４）に保存する。また、捕獲しようとする画像のタイプに基づき、適宜な特徴表示位置を選択し、特徴表示モジュール（２５）によってメモリモジュール（２４）から読取り、ファインダーモジュール（２６）に表示する。即ち、レンズモジュール（２７）を介して捕獲しようとする画像を該ファインダーモジュール（２６）に表示し、画像捕獲処理装置（２０）の位置、及び画像の方向を調整し、捕獲しようとする画像の特徴と設定した特徴表示とを重ね合わせて画像を捕獲し、該メモリモジュール（２４）に保存する。
【００３６】
【第２の実施例】
図３はこの発明の第２の実施例による画像捕獲処理装置の構造を表わすブロック図である。図面に開示するのように、画像捕獲処理装置は入力モジュール（２２）を具え、該入力モジュール（２２）によって設定された少なくとも一以上の特徴表示位置をメモリモジュール（２４）に入力し、捕獲しようとする画像のタイプに基づき、適宜な特徴表示位置を選択し、該メモリモジュール（２４）から特徴表示モジュール（２５）を利用して特徴表示位置を読取り、ファインダーモジュール（２６）に表示する。即ち、レンズモジュール（２７）を介して、捕獲しようとする画像を該ファインダーモジュール（２６）に表示し、更に微調整モジュール（２８）を利用して該ファインダーモジュール（２６）に表示された設定後の特徴表示位置を調整し、かつ画像の特徴と重ね合わせる。この状態において、画像を捕獲することができる。画像を捕獲した後、処理モジュール（２９）によって該画像の特徴表示位置にかかる座標値を読取り、該画像及び画像の特徴表示位置の座標値をメモリモジュール（２４）に保存する。また、動画処理モジュール（３０）によってメモリモジュール（２４）に保存された画像、及び特徴表示位置の座標値を読取り、かつ該動画処理モジュール（３０）によって処理して画像の動画効果を得るか、もしくは出力モジュール（２３）を介して該メモリモジュール（２４）に保存された画像と特徴表示位置の座標値とをそれぞれ出力するか、もしくはこれらを組み合わせて出力する。
【００３７】
前述の通りこの発明においては、捕獲しようとする画像に基づき特徴表示位置を設定し、設定した特徴表示位置と捕獲しようとする画像の特徴位置とを重ね合わせ、更に画像と特徴表示位置の座標値を捕獲して保存する。画像の動画効果を必要とする場合は捕獲した画像と特徴表示位置の座標値を動画処理モジュール（３０）で処理するか、もしくは出力モジュール（２３）を介して動画処理プログラムを有するマイクロコンピュータ装置に出力し、該動画処理プログラムによって処理され、音声と合わせ、画像の動画効果を達成する。このため、データを保存するメモリの容量を節減することができるとともに、複雑な計算を行うアルゴリズム、或いは関係するソフトプログラムによる計算によって画像の特徴表示位置にかかる座標値を得ることを必要とせず、画像の動画を制作する時間を減少させることができる。
【００３８】
【第３の実施例】
図４は第３の実施例による画像捕獲処理装置の構造を表わすブロック図である。図面によれば、第３の実施例による画像捕獲処理装置（２０）は、特徴表示フィルム（３２）を有し、該レンズモジュール（２７）によって捕獲しようとする画像をファインダーモジュール（２６）に表示し、特徴表示位置が設定された特徴表示フィルム（３２）を該ファインダーモジュール（２６）に重ね合わせ、設定した特徴表示位置を表示し、画像捕獲処理装置（２０）における位置と画像の方向を調整し、捕獲しようとする画像の特徴と、設定した特徴表示とを重ね合わせる。この状態において画像を捕獲することができる。画像を捕獲した後、メモリモジュール（２４）保存し、動画処理モジュール（３０）によってメモリモジュール（２４）に保存した画像、及び特徴表示位置の座標値を読み出し、かつ該動画処理モジュール（３０）によって処理し、画像の動画効果を達成するか、もしくは出力モジュール（２３）を介して該メモリモジュール（２４）に保存した画像と特徴表示位置の座標値を出力する。特徴表示位置を表示した特徴表示フィルム（３２）をファインダーモジュール（２６）上に重ね合わせて設定した特徴表示位置を表示することによって、特徴表示モジュール（２５）（図２、図３参照）の代替とすることができる。また、第１，２の実施例も含め、この発明による画像捕獲処理装置は、好ましくは例えばディジタルカメラなどの静止画を撮影する機能を有する装置か、もしくはビデオカメラなどの録画機能を有する装置に応用する。
【００３９】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【００４０】
【発明の効果】
この発明による画像捕獲方法、及びその装置は、特徴表示位置を正確に捕獲することができるとともに、特徴表示位置の計算時間を短縮し、かつデータ保存の空聞を縮小し、好ましい動圃の画像効果が得られる。
【図面の簡単な説明】
【図１】この発明による画像捕獲方法を表わすフローチャートである。
【図２】この発明による画像捕獲処理装置の構造を表わすブロヅク図である。
【図３】第２の実施例による画像捕獲処理装置の構造を表わすブロック図である。
【図４】第３の実施例による画像捕獲処理装置の構造を表わすブロック図である。
【符号の説明】
１０　特徴表示位置を設定するステップ
１２　特徴表示と捕獲しようとする画像の特徴を重ね合わせるステップ
１４　画像を捕獲するステップ
１６　画像を保存するステップ
２０　画像捕獲処理装置
２２　入力モジュール
２３　出力モジュール
２４　メモリモジュール
２５　特徴表示モジュール
２６　ファインダーモジュール
２７　レンズモジュール
２８　微調整モジュール
２９　処理モジュール
３０　動画処理モジュール
３２　特徴表示フィルム
【図１】
2004088719.tif 000003
【図２】
2004088719.tif 000004
【図３】
2004088719.tif 000005
【図４】
2004088719.tif 000006